(57)【要約】      （修正有）【課題】表面の曲がった部分で異常な信号伝導を起こしにくく、製造コストを大幅に削減することができるタッチステレオノブを提供する。【解決手段】タッチステレオノブには、３次元構成のノブモールドシェル１０、ＩＴＯタッチセンサー２０、延性のある補助導電ユニット３０、および表面被覆層４０が含まれ、ノブモールドシェルの外面には湾曲した隣接面１３があり、タッチセンサーはノブモールドシェルの外面に配置され、延性のある補助導電ユニットはタッチセンサーに電気的に接続され、オーバーラップ領域を形成する。このオーバーラップ領域は隣接面の範囲を含み、オーバーラップ領域の補助導電ユニットは、タッチセンサーに対応する導電パターンを備えている。表面被覆層は、ノブモールドシェルに対応する３次元構造を有し、タッチセンサーと補助導電ユニットを密接に覆う。表面被覆層の内側には、不透明なマスク面４１が配置され、マスク面は少なくともオーバーラップ領域を遮蔽している。【選択図】図２
0003225127.tif 000002
【実用新案登録請求の範囲】
【請求項１】
タッチステレオノブにはノブモールドシェルと、タッチセンサーと、補助導電ユニットと、表面被覆層とを含み、
前記ノブモールドシェルは絶縁材料で作られ、３次元構成を有し、前記ノブモールドシェルは、第１面、第２面、および隣接面を備え、前記第１面は、前記ノブモールドシェルの上部の外側表面に位置し、前記第２面は、前記ノブモールドシェの周囲の外面に位置し、前記隣接面は、前記第１面と前記第２面の間に結合され、
前記タッチセンサーは、透明な金属酸化物導電膜でできており、前記タッチセンサーのタッチ作用領域は、前記第１面および前記隣接面、ならびに前記第２面の少なくとも一部に配置され、
前記補助導電ユニットは、延性と低い電気抵抗率を持つ材料で作られ、前記補助導電ユニットは、前記タッチセンサーに電気的に接続され、オーバーラップ領域を形成し、前記オーバーラップ領域は、前記隣接面の範囲と、前記第２表面の少なくとも一部の上の範囲を含み、そして、前記オーバーラップ領域の前記補助導電ユニットは、前記タッチセンサーに対応する導電パターンを備え、
前記表面被覆層は、絶縁透明材料で作られ、前記表面被覆層は、前記ノブモールドシェルに対応するステレオ構成を備え、前記タッチセンサーと前記補助導電ユニットに密接に取り付けられ、前記表面被覆層の内側に不透明なマスク面を備え、前記マスク面が少なくとも前記オーバーラップ領域を遮蔽することを特徴とする、タッチステレオノブ。  
【請求項２】
前記隣接面は曲面、球面、または鈍角面のいずれかであることを特徴とする、請求項１に記載のタッチステレオノブ。
【請求項３】
前記タッチセンサーは、静電容量式タッチセンサー、電磁式タッチセンサー、音響式タッチセンサー、振動型タッチセンサー、または光学式タッチセンサーデバイスの１つから選択されることを特徴とする、請求項１に記載のタッチステレオノブ。
【請求項４】
前記タッチセンサーで使用される材料は、酸化インジウムスズ、酸化インジウム亜鉛、酸化亜鉛アルミニウムまたは酸化アンチモンスズの１つから選択されることを特徴とする、請求項１に記載のタッチステレオノブ。
【請求項５】
前記補助導電ユニットに使用される材料は、導電性銀ペースト、または主に金、銀、銅、アルミニウム、モリブデン、ニッケルのいずれかで構成される薄い金属層から選択されることを特徴とする、請求項１に記載のタッチステレオノブ。
【請求項６】
前記マスク面は、光を通さない絶縁材料で形成され、前記絶縁材料は、絶縁インクまたはフォトレジストのいずれかから選択されることを特徴とする、請求項１に記載のタッチステレオノブ。  
【請求項７】
前記マスク面は、さらに装飾パターンが設けられ、前記装飾パターンは、装飾模様、アイコン、または記号標識のいずれかから選択されることを特徴とする、請求項６に記載のタッチステレオノブ。
【請求項８】
前記ノブモールドシェルは、ガラス、ポリメチルメタクリレート、ポリスチレン、ポリカーボネート、およびポリプロピレンの１つから選択される高光透過率の絶縁材料でできていることを特徴とする、請求項１に記載のタッチステレオノブ。
【請求項９】
前記ノブモールドシェルの第１面は透明領域であり、前記第１面、前記タッチセンサーおよび前記表面被覆層は一緒に透視窓を形成することを特徴とする、請求項８に記載のタッチステレオノブ。
【請求項１０】
前記ノブモールドシェルの中空キャビティ内にさらに操作情報表示素子が配置され、前記操作情報表示素子は、液晶ディスプレイまたは発光ダイオードから選択されることを特徴とする、請求項９に記載のタッチステレオノブ。
【考案の詳細な説明】
【技術分野】
【０００１】
本考案は、タッチノブに関し、より詳細には、金属酸化物タッチセンサーで作られたタッチステレオノブに関する。
【背景技術】
【０００２】
タッチノブは現在、車内の中央制御装置、家電製品、または電子機器の制御ノブとして広く使用されている。現在のタッチノブは、主に伸縮性のある透明導電膜材料（カーボンナノチューブ透明導電膜など）を使用することである。金属回路が伸縮可能な透明導電膜に印刷された後、平面タッチセンサーはインモールドデコレーション(In Mold Decoration)によって熱成形され、立体タッチセンサーが形成される。そして、製品の特性要件により、直接使用することも、または、インモールド射出のメカニズムを使用して強化することもできる。従来のタッチノブの製造方法は、透明導電膜の材料の伸び特性に依存しているが、一般的に使用される金属酸化物透明導電膜と比較して、伸縮性透明導電膜は、価格が高く、供給源が少ないだけでなく、多くの制限がある。さらに、現在伸縮可能な透明導電膜の量産は依然として不安定であり、改善する必要があり、当分の間、それは市場での安定した生産と供給の期待と一致していない。より安価で材料の供給源が豊富な金属酸化物透明導電膜（インジウムスズ酸化物ＩＴＯなど）は、材料が硬くて脆く、延性が低いため、曲がった部分で破損し安く、非導電性（信号伝導をブロックする）になる。したがって、ステレオタッチノブには適用されていない。
【考案の概要】
【考案が解決しようとする課題】
【０００３】
本考案は、タッチセンサーを形成するために、主に透明な金属酸化物導電膜でできている、改良されたタッチステレオノブを提供する。タッチセンサーは、３次元ノブモールドシェルの表面に配置され、タッチセンサーの曲げられた部分または伸ばされた部分に、タッチセンサーの信号伝送性能を確保するために、延性のある補助導電ユニットに電気的に接続される。これによれば、材料コストを削減し、製品の歩留まりを向上させるという目的が達成される。
【課題を解決するための手段】
【０００４】
上記の目的を達成するために、本考案は、３次元ノブモールドシェル、タッチセンサー、補助導電ユニット、および表面被覆層を含むタッチステレオノブを提供する。
ノブモールドシェルは絶縁材料で作られ、３次元構成を有し、ノブモールドシェルは、第１面、第２面、および隣接面を備えている。第１面は、ノブモールドシェルの上部の外側表面に位置し、第２面は、前記ノブモールドシェの周囲の外面に位置し、隣接面は、第１面と第２面の間に結合されている。
タッチセンサーは、透明な金属酸化物導電膜でできており、タッチセンサーのタッチ作用領域は、第１面および隣接面、ならびに第２面の少なくとも一部に配置されている。
補助導電ユニットは、延性と低い電気抵抗率を持つ材料で作られ、タッチセンサーに電気的に接続され、オーバーラップ領域を形成する。オーバーラップ領域は、隣接面の範囲と、第２表面の少なくとも一部の上の範囲を含み、そして、オーバーラップ領域の補助導電ユニットは、タッチセンサーに対応する導電パターンを備えている。
表面被覆層は、絶縁透明材料で作られ、表面被覆層は、ノブモールドシェルに対応するステレオ構成を備え、タッチセンサーと補助導電ユニットに密接に取り付けられている。表面被覆層の内側に不透明なマスク面を備え、マスク面が少なくともオーバーラップ領域を遮蔽する。
特に、隣接面は、曲面、球面、または鈍角面のいずれかである。
タッチセンサーは、静電容量式タッチセンサー、電磁式タッチセンサー、音響式タッチセンサー、振動型タッチセンサー、または光学式タッチセンサーデバイスの１つから選択されるが、実施形態の範囲は前述のカテゴリに限定されない。
タッチセンサーで使用される材料は、酸化インジウムスズ(ITO)、酸化インジウム亜鉛(IZO)、酸化亜鉛アルミニウム(AZO)または酸化アンチモンスズ(ATO)の１つから選択されるが、実施形態の範囲は前述カテゴリに限定されない。
補助導電ユニットに使用される材料は、導電性銀ペースト(Conductive Adhesive)、または主に金、銀、銅、アルミニウム、モリブデン、ニッケルのいずれかで構成される薄い金属層から選択されるが、実施形態の範囲は前述のカテゴリに限定されない。
マスク面は、光を通さない絶縁材料で形成され、前記絶縁材料は、絶縁インク(Insulating ink)またはフォトレジスト(Photoresist)のいずれかから選択されるが、実施形態の範囲は前述カテゴリに限定されない。
マスク面は、さらに装飾パターンが設けられ、装飾パターンは、装飾模様、アイコン(ICON)、またはシンボルマークのいずれかから選択されるが、実施形態の範囲は前述のカテゴリに限定されない。
ノブモールドシェルは、ガラス、ポリメチルメタクリレート(PMMA)、ポリスチレン(PS)、ポリカーボネート(PC)、およびポリプロピレン(PP)の１つから選択される高光透過率の絶縁材料でできているが、実施形態の範囲は前述カテゴリに限定されない。
ノブモールドシェルの第１面は透明領域であり、第１面、タッチセンサーおよび表面被覆層は一緒に透視窓を形成する。
ノブモールドシェルの中空キャビティ内にさらに操作情報表示素子が配置され、透視窓を介してノブの制御状態の情報を即座にフィードバックする。
操作情報表示素子は、液晶ディスプレイ(LCD)または発光ダイオード(LED)から選択されるが、実施形態の範囲は前述カテゴリに限定されない。
本考案の他の機能および技術的特徴をさらに明確にし、本文の説明を読んだ後に当業者によって実現されることができる。
【考案の効果】
【０００５】
本考案のタッチステレオノブは、表面の曲がった部分で異常な信号伝導を起こしにくく、材料コストを大幅に削減し、製品の歩留まりを向上させることができる。
【図面の簡単な説明】
【０００６】
【図１】本考案の実施形態の斜視図である。
【図２】本考案の実施形態の側面断面図である。
【図３】本考案の実施形態のタッチセンサーの概略平面図である。
【図４】本考案の実施形態の補助導電ユニットの概略平面図である。
【図５】本実施形態の補助導電ユニットがタッチセンサーに重ねられている模式図ある。
【図６】本考案の別の実施形態の側面断面図である。
【考案を実施するための形態】
【０００７】
図１から図５を参照すると、本考案の好ましい実施形態によるタッチステレオノブは、ノブモールドシェル１０、タッチセンサー２０、補助導電ユニット３０、および 表面被覆層４０を含む。
【０００８】
図１および図２に示すように、ノブモールドシェル１０は、絶縁材料からなり、３次元形状を有しており、第１面１１、第２面１２および隣接面１３を有している。第１面１１は、ノブモールドシェル１０の上部の外面に位置し、第２面１２は、ノブモールドシェル１０の周囲の外面に位置し、隣接面１３は、第１面１１と第２面１２との間に接続される。好ましくは、隣接面１３は、湾曲面などの鋭角構成を含まない面である。
【０００９】
図２〜図５に示すように、タッチセンサー２０は、酸化インジウムスズ（ＩＴＯ）膜からなる透明なタッチセンサーである。本実施形態では、タッチセンサー２０は静電容量式タッチセンサーであるが、静電容量式タッチセンサーの構造は周知であるため、ここで繰り返すことを意図していない。図３および図５では、タッチアクション領域内の誘導電極２１のパターンのみが単純に示されており、残りの構成要素（タッチセンサーの信号線など）は無視されている。タッチセンサー２０のタッチアクション領域は、ノブモールドシェル１０の第１表面１１と隣接面１３、および第２面１２の少なくとも一部に配置されている。
【００１０】
補助導電ユニット３０は、銅箔または銀ペーストなどの低抵抗延性材料でできている。図２、図４および図５に示すように、補助導電ユニット３０は、タッチセンサー２０に電気的に接続され、オーバーラップ領域ＯＬを形成する。オーバーラップ領域ＯＬは、隣接面１３の範囲および第２面１２の少なくとも一部にわたる範囲を含み、オーバーラップ領域ＯＬの補助導電ユニット３０は、タッチセンサー２０の誘導電極２１に対応する導電パターンを有する。 
【００１１】
図１および図２に示すように、表面被覆層４０は、ポリメチルメタクリレート（ＰＭＭＡ）、ポリスチレン（ＰＳ）、ポリカーボネート（ＰＣ）、およびポリプロピレン（PP）などの絶縁性透明材料でできおり、ノブモールドシェル１０に対応する３次元構成を有し、タッチセンサー２０および補助導電ユニット３０に密接に被覆されている。表面被覆層４０の内側には不透明なマスク面４１が形成されており、マスク面４１は絶縁インクまたはフォトレジスト(Photoresist)で形成されている。マスク面４１は、少なくともオーバーラップ領域ＯＬを遮蔽し、好ましくは、隣接面１３および第２面１２の範囲のすべてを覆う。装飾模様、アイコン（ICON）、または記号標識などのさまざまな装飾パターンをマスク表面４１に選択的に配置することもできる。マスク表面４１は、オーバーラップ領域ＯＬで肉眼で見える補助導電ユニット３０などの回路パターンを遮断するために使用され、審美的または機能的ラベリングの効果を高める。
【００１２】
周知のように、ＩＴＯ材料の硬脆性および延性の悪さにより、ＩＴＯ導電膜は、材料が硬くて脆く、または延伸部位で破壊されやすく、その結果、非導電性または導電性が劣ることを引き起こす。本実施形態では、ＩＴＯ材料からなるタッチセンサー２０が、ノブモールドシェル１０の第１面１１、隣接面１３および第２面１２に配置される場合、隣接面１３および第２面１２上のＩＴＯ導電膜は、曲げられるか、または引き伸ばされる。導電性欠陥がその部位に発生する可能性がある。したがって、本発明は、隣接面１３および第２面１２に補助導電ユニット３０を設けることにより、この欠点を克服することができる。補助導電ユニット３０は、銅箔または銀ペーストなどの低抵抗の延性材料で作られているため、屈曲部または延伸部が破損したり、非導電性になったりする問題はない。補助導電ユニット３０は、タッチセンサー２０に電気的に接続されており、屈曲または伸張部位でタッチセンサー２０の導電機能を維持することができ、タッチセンサー２０の正常な作動を確保する。
【００１３】
ノブモールドシェル１０は、電子機器または電気機器の制御ベース上に組み立てられ、そして、ノブモールドシェル１０を制御ベースと組み合わせ、一体化に固定する（図示せず）。使用中、全体のタッチステレオノブの本体は実際には回転しないが（制御ベースに固定されているため）、ユーザーの指がタッチステレオノブの外側表面上において、回転、スライド操作をさせることにより、タッチ信号がタッチセンサー２０に入力され、タッチ信号は信号処理回路によって対応するノブの制御信号に変換され得る。それに応じて電子機器または電気機器を操作する。さらに、タッチステレオノブの第１面１１は平坦なタッチ面を有し、ユーザーは、クリック、ジェスチャー、または手書き入力など、タッチ面を介した様々な情報入力を行うことができる。
【００１４】
図６に示すように、別の実施形態では、ノブモールドシェル１０は、ガラス、ポリメチルメタクリレート（ＰＭＭＡ）、ポリスチレン（ＰＳ）、ポリカーボネート（PC）やポリプロピレン（PP）などの高光透過率の透明な絶縁材料でできている。したがって、ノブモールドシェル１０の第１面１１に透視領域が形成され、第１面１１に配置されたタッチセンサー２０および表面被覆層４０も透明な薄層である。したがって、第１面１１領域に透視窓１５を形成することができ、それにより、液晶ディスプレイ（ＬＣＤ）および発光ダイオード（ＬＥＤ）などの操作情報表示素子１６をノブモールドシェル１０の中空キャビティに配置することができる。透視窓１５を通してノブの操作状態を示す情報を即座にフィードバックする。
【００１５】
本考案は、図面および実施形態を参照して十分に説明されたが、前述の実施形態は、さらなる説明の目的のためだけであることを理解されたい。本考案は説明によって限定されず、様々な変更および修正が当業者には明らかであり、そのような変更および修正は実用新案登録請求項の範囲によって定義される本考案の範囲に含まれるものとして理解されるべきである。
【符号の説明】
【００１６】
１０  ノブモールドシェル  
１１  第１面
１２  第２面
１３  隣接面
１５  透視窓  
１６  操作情報表示素子    
２０  タッチセンサー  
２１  誘導電極  
３０  補助導電ユニット
４０  表面被覆層  
４１  マスク面
ＯＬ  オーバーラップ領域
【図１】
0003225127.tif 000003
【図２】
0003225127.tif 000004
【図３】
0003225127.tif 000005
【図４】
0003225127.tif 000006
【図５】
0003225127.tif 000007
【図６】
0003225127.tif 000008